(57)【要約】【課題】本発明は、有効なトリートメントができる上に、トリートメント中であっても、他の軽作業ができるトリートメント用具を得るにある。【解決手段】防湿性のある素材で形成したトリートメント用具本体と、このトリートメント用具本体の内部に備えた保湿剤とでトリートメント用具を構成している。手袋形状に形成したトリートメント用具は、トリートメント用具本体の内部に、ジェル状、クリーム状等の保湿剤を備え、トリートメント用具本体には、留め具を備える。【選択図】図１
2005179866.tif 000002
【特許請求の範囲】
【請求項１】
防湿性のある素材で形成したトリートメント用具本体と、このトリートメント用具本体の内部に備えた保湿剤とからなることを特徴とするトリートメント用具。
【請求項２】
防湿性のある素材で形成したトリートメント用具本体と、このトリートメント用具本体の内部に備えた温泉の成分を含む保湿剤とからなることを特徴とするトリートメント用具。
【請求項３】
防湿性と耐熱性のある素材で形成したトリートメント用具本体と、このトリートメント用具本体の内部に備えた保湿剤とからなることを特徴とするトリートメント用具。
【請求項４】
通気性のある素材で形成したトリートメント用具本体と、このトリートメント用具本体の内部に備えた保湿剤とからなることを特徴とするトリートメント用具。
【請求項５】
防湿性と耐熱性のある素材で形成したトリートメント用具本体を外周から覆う形状の発熱剤を封入したトリートメント用具。
【請求項６】
防湿性と耐熱性のある素材で形成したトリートメント用具本体を外周から覆う形状のジェルを封入したトリートメント用具。
【発明の詳細な説明】
【技術分野】
【０００１】
本発明は、トリートメント用具に関する。
【背景技術】
【０００２】
従来のトリートメント用具は、主に、ハンドクリーム等で、皮膚の保湿や保護の目的で、皮膚に塗布するものであった。ハンドクリームには、皮膚の為の成分を肌に行き渡らせるもの、あるいは、皮膚に保護膜を作るもの、温熱効果のあるものなどがある。
【０００３】
したがって、肌の為に、有効な成分を肌に吸収させようとしても、塗るだけでは、肌に乗ったクリームの量では充分ではなく、肌に吸収させる手段としても充分ではないという欠点があった。また、皮膚に保護膜を作るものでは、作業中の保護が目的で、有効な成分を肌に吸収させる目的ではないという欠点があった。つまり、トリートメントの為に、一度、手に充分な量のクリームを塗布すると、他の作業をする事はできなかった。
【特許文献１】特開２００２−３３９１２５
【発明の開示】
【発明が解決しようとする課題】
【０００４】
本発明は以上のような従来の欠点に鑑み、有効なトリートメントができる上に、トリートメント中であっても、他の軽作業ができるトリートメント用具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、防湿性のある素材で形成したトリートメント用具本体と、このトリートメント用具本体の内部に備えた保湿剤とでトリートメント用具を構成している。
【発明の効果】
【０００７】
以下の説明から明らかなように、本発明にあっては次に列挙する効果が得られる。
【０００８】
（１）防湿性のある素材で形成したトリートメント用具本体と、このトリートメント用具本体の内部に備えた保湿剤とで構成されているので、充分な量の保湿剤により、トリートメントができる。
【０００９】
（２）前記（１）によって、より効果の高いトリートメントができる。
【００１０】
（３）前記（１）によって、トリートメントしながら、トリートメント用具を装着している状態なので、トリートメント中に、他の軽作業ができる。
【００１１】
（４）請求項２〜４も前記（１）〜（３）と同様の効果が得られる。
【００１２】
（４）請求項５及び６も前記（１）の効果を補助し、高め、（２）、（３）と同様の効果が得られる。
【発明を実施するための最良の形態】
【００１３】
以下、図面に示す実施するための最良の形態により、本発明を詳細に説明する。
【実施例１】
【００１４】
図１および図２に示す本発明の第１の実施するための最良の第１の形態において、１は本発明のトリートメント用具で、このトリートメント用具１は、手を覆う防湿性のある素材で形成された手袋形状に形成されたトリートメント用具本体２とこのトリートメント用具本体２の内側の手を覆う部位全面に備えた保湿剤３とで構成されている。
【００１５】
保湿剤３としては、従前の化粧品に使われる、例えば、グリセリン、スクワラン、コラーゲン、ヒアルロン酸、尿素、ビタミン類、ミネラル類、各種エキス、各種オイル等の効果のあるものであれば、限定はない。肌に良いとされる温泉の成分を配合するのも良い。保湿剤３は、液状、ジェル状、クリーム状、ゼリー状等で、トリートメント用具本体２から、流れない程度の濃度があると良い。保湿剤３を、ゼリー状にした場合、体温で溶けると、都合が良い。
保湿剤３は、液状、ジェル状、クリーム状、ゼリー状等なので、量により、トリートメント剤の感触を楽しむこともできる。
【００１６】
前記トリートメント用具１のトリートメント用具本体２には、必要な箇所を、適宜保持できるように、留め具４を、備えると良く、保湿剤３を、留め具４の内側に閉じ込める役割を果たす。留め具４の形状は、何でも良いが、ゴムなどの伸縮により、あるいは、紐の固定により、開閉する等も良い。
【００１７】
トリートメント用具１を装着した状態で、別の作業をすることができる。トリートメント用具１の外部に、もう一枚別に、外部手袋５を付加すれば、トリートメントをしながら、さらに手を使う別の作業をすることができる。外部手袋５を、装飾的なものにすると、美観も楽しめる。外部手袋５を保温性の高いものにすると体温による温熱効果を高められる。外部手袋５を、防水手袋にすれば、トリートメント中の、水仕事も可能で、温水を使って、食器を洗えば、温熱効果も高まる。
【００１８】
本発明のトリートメント用具１は、トリートメント用具本体１を使い捨て状態で使用するものを説明したが、これに限らず、保湿剤３を取り替え、あるいは、保湿剤３を補充しても良い。
【００１９】
上記構成のトリートメント用具は、トリートメントの為に、トリートメント用具本体２の内部の保湿剤３に、直接、手を差し入れ、一定時時間のトリートメントを行い、トリートメントを終了するにあたって、トリートメント用具１から、手を抜き取り、手に残った余分な保湿剤３は、手に擦り込むか、ティッシュなどで拭うか、洗い流して、使用する。
【００２０】
{発明を実施するための異なる形態}
【００２１】
次に、図３ないし図１０に示す本発明を実施するための異なる形態につき説明する。尚、これらの本発明を実施するための異なる形態の説明に当って、前記本発明を実施するための最良の第１の形態と同一構成部分には同一符号を付して重複する説明を省略する。
【実施例２】
【００２２】
図３に示す本発明を実施するための第２の形態において、前記本発明を実施するための最良の第１の形態と主に異なる点は、ミトン形状に形成されたトリートメント用具本体２Ａを用いた点で、このように構成されたトリートメント用具本体２Ａを用いたトリートメント用具１Ａにしても前記本発明を実施するための最良の第１の形態と同様な作用効果が得られる。
【００２３】
本実施の形態において、トリートメント用具本体２Ａであるミトンは、指先が各指に分かれていないので、トリートメント用具本体２Ａ内部の、保湿剤３の移動が容易で、保湿剤と肌との接触が多く、高いトリートメント効果が得られるが、トリートメント中の細かい作業には向かない。
【実施例３】
【００２４】
図４に示す本発明を実施するための第３の形態において、前記本発明を実施するための第１の形態と主に異なる点は、足用のトリートメント用具本体２Ｂを用いた点で、このように構成したトリートメント用具１Ｂにすることにより、前記本発明を実施するための最良の第１の形態と同様な作用効果が得られる。
【００２５】
足用のトリートメント用具本体２Ｂは、破れないように形成し、さらに、外部に防湿性のある素材で形成された靴下形状のカバー６を備えると良い。
【実施例４】
【００２６】
図５に示す本発明を実施するための第４の形態において、前記本発明を実施するための最良の第１の形態と主に異なる点は、通気性のある素材で形成されたトリートメント用具本体２Ｃを用いた点で、このように構成したトリートメント用具１Ｃにすることにより、前記本発明を実施するための最良の第１の形態と同様な作用効果が得られる。
【００２７】
本実施の形態において、トリートメント用具１Ｃの素材は、通気性のある不織布、布、紙などを、使用する。必要に応じて、外部にカバーを備えるのも、良い。
【実施例５】
【００２８】
図６に示す本発明を実施するための第５の形態において、前記本発明を実施するための最良の第１の形態と主に異なる点は、顔用のトリートメント用具本体２Ｄを用いた点で、このように構成したトリートメント用具１Ｄにすることにより、前記本発明を実施するための最良の第１の形態と同様な作用効果が得られる。
【００２９】
本実施の形態において、トリートメント用具１Ｄは、防湿性のある素材、あるいは、通気性のある素材で形成する。トリートメント用具１Ｄの形状は、トリートメント部位に合わせた形状とする。また、保湿剤３を、使用時までカバーするシート７を、備える。トリートメント用具１Ｄは、電子レンジ加熱や湯せん等できるのも、良い。
【００３０】
保湿剤３は、限定はないが、ゼリー状にすると、扱い易い。体温で柔らかくなる保湿剤にすれば、さらに良い。
【実施例６】
【００３１】
図７に示す本発明を実施するための第６の形態において、前記本発明を実施するための最良の第１の形態と主に異なる点は、手足顔以外用、本実施例では、キャップ形状のトリートメント用具本体２Ｅを用いた点で、このように構成したトリートメント用具１Ｅにすることにより、前記本発明を実施するための最良の第１の形態と同様な作用効果が得られる。
尚、本実施例では、キャップ形状のトリートメント用具本体２Ｅを用いたものについて、説明したが、本実施例は、これに限らず、首用、肩用、腕用、胴用、腰用、もも用、膝用等でも良い。
【００３２】
本実施の形態において、トリートメント用具１Ｅの形状と保湿剤３の種類は、トリートメント部位に合わせたものとする。
【実施例７】
【００３３】
図８に示す本発明を実施するための第７の形態において、前記本発明を実施するための最良の第１の形態と主に異なる点は、トリートメント用具本体２Ｆを、防湿性と耐熱性のある素材で形成し、電子レンジ加熱や湯せん等をしてから、使用できる物を用いた点で、このように構成したトリートメント用具１Ｆにすることにより、前記本発明を実施するための最良の第１の形態と同様な作用効果が得られる。
【００３４】
特に、高い温熱効果が得られる。やけどを防ぐ為の工夫が必要で、インジケーター８などで温度を表示させて適温を設定すると良い。
【実施例８】
【００３５】
図９に示す本発明を実施するための第８の形態において、前記本発明を実施するための最良の第１の形態と主に異なる点は、トリートメント用具本体２、及び２Ａ〜２Ｆの外周に、温熱具９を用いた点で、このように構成したトリートメント用具１Ｇにすることにより、前記本発明を実施するための最良の第１の形態と同様な作用効果が得られる。
【００３６】
温熱具９は、発熱して、トリートメント用具本体を保温できるものであれば、限定はないが、従前の使い捨てカイロを、トリートメント部位に合わせた形状に形成するのも良い。温熱具９を装着すると、高い温熱効果が得られる。
【００３７】
本実施の形態において、トリートメント用具本体２は、熱に耐えられる素材とする。
【実施例９】
【００３８】
図１０に示す本発明を実施するための第９の形態において、前記本発明を実施するための最良の第１の形態と主に異なる点は、トリートメント用具本体２、及び２Ａ〜２Ｆの外周に、防湿性と耐熱性のある素材で袋状に形成し、内部にジェルを封入した温熱具９Ａを用いた点で、このように構成したトリートメント用具１Ｈにすることにより、前記本発明を実施するための第１の形態と同様な作用効果が得られる。
【００３９】
温熱具９Ａは、電子レンジ加熱や湯せん等をしてから、トリートメント用具本体２、及び２Ａ〜２Ｆの外周に、使用する。この温熱具９Ａは、単独であっても、温熱パッドに使用することができる。また、本温熱具９Ａは、繰り返し使用できるものにすると良い。
【００４０】
尚、前記本発明の異なる実施の形態では主に第１の実施の形態を基にして説明したが、本発明はこれに限らず、各実施の形態に使用された構成を組み合わせて使用しても同様な作用効果が得られる。
【００４１】
また、本発明の各実施例では、手、足、顔等の局部に用いるトリートメント用具について説明したが、これに限らず、トリートメント用具本体を、Ｔシャツ形状やズボン形状、ぬいぐるみ形状等に形成することによって、体全体、足全体等で、保湿保温することができる。
【００４２】
さらに、本発明のトリートメント用具は、人間に限らず、犬や猫などの動物に使用しても良い。
【産業上の利用可能性】
【００４３】
本発明はトリートメント用具を製造及び使用、販売する産業で利用される。
【図面の簡単な説明】
【００４４】
【図１】本発明を実施するための最良の第１の形態の説明図。
【図２】本発明を実施するための最良の第１の形態の使用例の説明図。
【図３】本発明を実施するための第２の形態の説明図。
【図４】本発明を実施するための第３の形態の説明図。
【図５】本発明を実施するための第４の形態の説明図。
【図６】本発明を実施するための第５の形態の説明図。
【図７】本発明を実施するための第６の形態の説明図。
【図８】本発明を実施するための第７の形態の説明図。
【図９】本発明を実施するための第８の形態の説明図。
【図１０】本発明を実施するための第９の形態の説明図。
【符号の説明】
【００４５】
１、１Ａ〜１Ｈ：、トリートメント用具
２、２Ａ〜２Ｆ：、トリートメント用具本体
３：、保湿剤
４：、留め具
５：、外部手袋
６：、カバー
７：、シート
８：、インジケーター
９、９Ａ：、温熱具
【図１】
2005179866.tif 000003
【図２】
2005179866.tif 000004
【図３】
2005179866.tif 000005
【図４】
2005179866.tif 000006
【図５】
2005179866.tif 000007
【図６】
2005179866.tif 000008
【図７】
2005179866.tif 000009
【図８】
2005179866.tif 000010
【図９】
2005179866.tif 000011
【図１０】
2005179866.tif 000012